(57)【要約】【課題】　開口縁に一対の突出フラップを有する筒状紙体に、開口縁に一対の突出片を有する袋体を挿入し、前記突出片を前記突出フラップで折り返して前記筒状紙体の外面に貼着した構成からなるドリッパーに発生する虞があった前記突出片の折返部の破断を防止することができるドリッパーを提供することである。【解決手段】　一方の開口縁に一対の突出フラップが形成されると共に両端縁の折曲部に折込部を備えた筒状紙体に、開口縁に一対の突出片が形成された濾過機能を有する袋体を挿入し、前記袋体の前記突出片を前記突出フラップで外側に折り曲げて前記筒状紙体の外面で貼着すると共に前記袋体の開口部を内容物収納後に剥離可能に閉じたドリッパーにおいて、前記突出片の折返した頂部の両端が前記突出フラップの両肩部より外方に位置するように構成されていることを特徴とするドリッパー。【選択図】　　　　図１
2004130104.tif 000002
【特許請求の範囲】
【請求項１】
両側端に折曲部を有する略矩形状の筒状紙体と、濾過機能を有する袋体とからなり、前記筒状紙体は一方の対向する開口縁の略中央部に一対の突出フラップが形成され、前記袋体は開口部の対向する開口縁の略中央部に一対の突出片が形成され、前記筒状紙体に前記袋体を挿入して前記袋体の前記突出片を前記突出フラップと当接させて外側に折り曲げて前記筒状紙体の外面で貼着すると共に前記袋体の開口部を内容物収納後に剥離可能に閉じたドリッパーにおいて、前記突出片の折返した頂部の両端と前記筒状紙体の一方の対向する開口縁側の端縁との間に隙間が設けられていることを特徴とするドリッパー。
【請求項２】
前記突出片の折返した頂部の両端は前記突出フラップの両肩部より外方に位置するように構成されていることを特徴とする請求項１記載のドリッパー。
【請求項３】
前記突出フラップの両肩部がアール状に形成されていることを特徴とする請求項２記載のドリッパー。
【請求項４】
前記突出片の折返した頂部の両端は前記突出フラップの両肩部より内方に位置するように構成されると共に、前記突出フラップの両肩部を繋ぐ前記筒状紙体の前記一方の対向する開口縁側の端縁と前記突出片の折返した頂部の両端との間に隙間が設けられていることを特徴とする請求項１記載のドリッパー。
【請求項５】
前記両折曲部に前記筒状紙体を筒状に保持する折込部を備えていることを特徴とする請求項１記載のドリッパー。
【請求項６】
前記筒状紙体の他方の開口縁に係合突片が形成されていることを特徴とする請求項１記載のドリッパー。
【請求項７】
前記袋体の開口部が超音波溶着により剥離可能に閉じられていることを特徴とする請求項１記載のドリッパー。
【請求項８】
前記超音波溶着が微小突起を形成した先端を有する超音波ホーンないし微小突起を形成した表面を有する超音波溶着用受治具のいずれかを具備した超音波溶着装置でなされていることを特徴とする請求項７記載のドリッパー。
【請求項９】
前記微小突起が千鳥状に形成されていることを特徴とする請求項８記載のドリッパー。
【請求項１０】
前記筒状紙体の内面と前記袋体の外面とが剥離可能に接着されていることを特徴とする請求項１記載のドリッパー。
　                                                                                  
【発明の詳細な説明】
【技術分野】
【０００１】
　本発明は、レギュラーコーヒー粉、紅茶や緑茶の葉等の被抽出成分を有する内容物を漉す時に使用するドリッパーに関し、さらに詳しくは、被抽出成分を有する内容物を一体的に収納したドリッパーに関する。
【背景技術】
【０００２】
　従来から、レギュラーコーヒー、紅茶、緑茶等を愛飲する際に、缶や瓶あるいは包装袋に収納されたレギュラーコーヒー粉、紅茶や緑茶の葉等の被抽出成分を有する内容物を漉すために、漉し器の準備や洗浄等の手間が不要であって、使い勝手がよいといった理由から、使い捨てタイプのドリッパーが市販されている。
【０００３】
　この種のドリッパーは、いずれも折り畳み可能な紙製の器板の内部に漏斗状フィルターを取り付けた構成からなるものであって、折り畳まれた紙製の器板を起立させると共に、折り畳まれた紙製の器板に設けられた突片あるいは切込や切欠部を利用してカップ壁面にドリッパーを載置固定して、缶や瓶あるいは包装袋に収納されたレギュラーコーヒー粉、紅茶や緑茶の葉等の被抽出成分を有する内容物を漏斗状フィルター内に充填し、熱湯を漏斗状フィルター内に注湯することにより、カップ内にレギュラーコーヒーや紅茶、緑茶等を得ることができるようになっている。
【０００４】
　この種の使い捨てタイプのドリッパーは、漉し器の準備や洗浄等の手間が不要であり、また、使い勝手が良いなどの理由から独身者や単身赴任者などの使用者に好んで用いられている。しかし、使用者にとっては、レギュラーコーヒー粉、紅茶や緑茶の葉等の被抽出成分を有する内容物については、別途用意する必要があり、この点においては不満のあるものであった。この使用者の不満を解決するものとして、たとえば、ドリッパーにレギュラーコーヒー粉、紅茶や緑茶の葉等の内容物を密封状態で収納した包装袋を添付したものが市販されているが、レギュラーコーヒー粉、紅茶や緑茶の葉等の被抽出成分を有する内容物を別途用意する手間は省けるものの、これについても包装袋を開封してレギュラーコーヒー粉、紅茶や緑茶の葉等の被抽出成分を有する内容物をドリッパー内に充填する手間は同じであり、使用者にとってはなお不満の残るものであった。
【０００５】
　そこで、使用者の上記不満を解決する一つの解決法として、予めレギュラーコーヒー粉、紅茶や緑茶の葉等の被抽出成分を有する内容物を収納したドリッパーがあり、使用者にとってレギュラーコーヒー粉、紅茶や緑茶の葉等の被抽出成分を有する内容物を別途用意する手間や前記被抽出成分を有する内容物をドリッパー内に充填する手間を省き、折り畳まれたドリッパーを起立させ、ドリッパーに設けられた突片あるいは切込や切欠部を利用してカップ壁面にドリッパーを載置固定し、熱湯をドリッパー内に注湯するだけでカップ内にレギュラーコーヒーや紅茶、緑茶等を得ることができるという重宝な代物がある（たとえば、特許文献１参照）。
【０００６】
　しかし、特許文献１のドリッパーは、使用に際しては、濾紙袋の接合した開口縁を指で押し開くようにして開口させ、内部に収納したレギュラーコーヒー粉、紅茶や緑茶の葉等の被抽出成分を有する内容物を露出させるように構成されており、注湯部を指で触ることになり衛生上多少問題を抱えた仕様となっている。さらに指で押し開くようにして開口させるために、指にレギュラーコーヒー粉、紅茶や緑茶の葉等の被抽出成分を有する内容物が付着して指を汚す可能性のある仕様となっている。
【０００７】
　また、使用者の上記不満を解決する他の解決法として、特許文献１と同様に折畳まれたドリッパーを起立させ、ドリッパーに設けられた突片あるいは切込や切欠部を利用してカップ壁面にドリッパーを載置固定し、熱湯をドリッパー内に注湯するだけでカップ内にレギュラーコーヒーや紅茶、緑茶等を得ることができるという極めて重宝なものがある（たとえば、特許文献２参照）。
【０００８】
　しかし、特許文献２のドリッパーは、レギュラーコーヒー粉、紅茶や緑茶の葉等の被抽出成分を有する内容物が収納された濾紙袋に注湯用の開口を設ける際に、濾紙袋の上縁に沿って設けられたミシン目で開封して注湯用の開口を設けるように構成されており、濾紙袋をミシン目で開封すると濾紙袋のミシン目部に存在するレギュラーコーヒー粉、紅茶や緑茶の葉等の被抽出成分を有する内容物が開封と同時に飛散して周辺を汚すといった問題を抱えた仕様となっている。
【０００９】
　そこで、本発明者等は、上記した問題を解決する使い捨てタイプのドリッパーを先に特願２００１−２７１８８８号で提案した。このドリッパーは袋体内にレギュラーコーヒー粉、紅茶や緑茶の葉等の被抽出成分を有する内容物を収納すると共に、使用時には衛生的であってかつ指等を汚すことなく簡単な操作で開口することができると共に簡単に起立させてカップに安定した状態で載置固定して濾過することができるものであるが、筒状紙体と袋体との固定が袋体の開口縁の略中央に突出して設けられた略中央対向貼着部を筒状紙体の一方の開口縁で折返して筒状紙体の外面に貼着することによりなされるものであり、特願２００１−２７１８８８号の第１、４図に示したように筒状紙体の開口縁に袋体の折返した頂部のエッジが接触するように構成すると内容物を収納した袋体は輸送中等において筒状紙体内で動く可能性があり、袋体を構成する素材や該素材の坪量によっては袋体のエッジが前記筒状紙体の開口縁で擦られることにより袋体の折返した頂部に破れが発生する虞が危惧され、この危惧の解決を図ることにした。
【特許文献１】実公昭６０−７６１５号公報
【特許文献２】特許第２９０１０５３号公報
【発明の開示】
【発明が解決しようとする課題】
【００１０】
　そこで本発明は、上記のような問題点に鑑みてなされたものであって、その目的とするところは、レギュラーコーヒー粉、紅茶や緑茶の葉等の被抽出成分を有する内容物を収納した袋体の折返した頂部に破れが発生する虞がなく、かつ、内容物を確実に収納することができ、使用時には衛生的であってかつ指等を汚すことなく簡単な操作で開口することができると共に簡単に起立させてカップに安定した状態で載置固定して濾過することができる使い捨てタイプのドリッパーを提供することである。
【課題を解決するための手段】
【００１１】
　本発明者等は、上記目的を達成するために、請求項１記載の本発明は、両側端に折曲部を有する略矩形状の筒状紙体と、濾過機能を有する袋体とからなり、前記筒状紙体は一方の対向する開口縁の略中央部に一対の突出フラップが形成され、前記袋体は開口部の対向する開口縁の略中央部に一対の突出片が形成され、前記筒状紙体に前記袋体を挿入して前記袋体の前記突出片を前記突出フラップと当接させて外側に折り曲げて前記筒状紙体の外面で貼着すると共に前記袋体の開口部を内容物収納後に剥離可能に閉じたドリッパーにおいて、前記突出片の折返した頂部の両端と前記筒状紙体の一方の対向する開口縁側の端縁との間に隙間が設けられていることを特徴とするものである。このように構成することにより、輸送中等において内容物を収納した袋体が筒状紙体内で動くことがあったとしても、袋体の突出片の折返した頂部が前記筒状紙体の一方の対向する開口縁側の端縁と擦れることがあっても突出片の折返した頂部の両端に破れが発生する虞を小さくすることができ、また、使用される時まで内容物を確実に収納することができると共に、使用時には筒状紙体に設けた２つの突出フラップを手指で摘んで互いに乖離する方向に引っ張ることにより剥離可能に閉じた袋体の開口部を開口して内容物を露出することができるために衛生的であると共に指や周辺を汚すことがないドリッパーとすることができる。
【００１２】
　また、請求項２記載の本発明は、請求項１記載のドリッパーにおいて、前記突出片の折返した頂部の両端は前記突出フラップの両肩部より外方に位置するように構成されていることを特徴とするものである。このように構成することにより、前記突出フラップと前記突出片との筒状紙体の開口縁に平行な方向の多少の位置ズレが発生しても意匠性を落とすことがないドリッパーとすることができる。
【００１３】
　また、請求項３記載の本発明は、請求項２記載のドリッパーにおいて、前記突出フラップの両肩部がアール状に形成されていることを特徴とするものである。
【００１４】
　また、請求項４記載の本発明は、請求項１記載のドリッパーにおいて、前記突出片の折返した頂部の両端は前記突出フラップの両肩部より内方に位置するように構成されると共に、前記突出フラップの両肩部を繋ぐ前記筒状紙体の前記一方の対向する開口縁側の端縁と前記突出片の折返した頂部の両端との間に隙間が設けられていることを特徴とするものである。
【００１５】
　上記請求項３、４のいずれかに記載の構成とすることにより、袋体を構成する素材や該素材の坪量、あるいは、輸送条件等に左右されることなく突出片の折返した頂部に破れの発生する虞をさらに小さくすることができるドリッパーとすることができる。
【００１６】
　また、請求項５記載の本発明は、請求項１記載のドリッパーにおいて、前記両折曲部に前記筒状紙体を筒状に保持する折込部を備えていることを特徴とするものである。このように構成することにより、袋体の開口部を開口して後に、筒状紙体の両折曲部に設けた折込部を内側に折り込むことにより容易に筒状に起立させることができると共にこの起立状態を保持することができるために、注湯口を開口状態に確実に確保することができるドリッパーとすることができる。
【００１７】
　また、請求項６記載の本発明は、請求項１記載のドリッパーにおいて、前記筒状紙体の他方の開口縁に係合突片が形成されていることを特徴とするものである。このように構成することにより、カップ壁面に安定して載置することができるドリッパーとすることができる。
【００１８】
　また、請求項７記載の本発明は、請求項１記載のドリッパーにおいて、前記袋体の開口部が超音波溶着により剥離可能に閉じられていることを特徴とするものである。このように構成することにより、筒状紙体側から袋体の開口部を剥離可能に容易に閉じることができるために生産性に優れたドリッパーとすることができる。
【００１９】
　また、請求項８記載の本発明は、請求項７記載のドリッパーにおいて、前記超音波溶着が微小突起を形成した先端を有する超音波ホーンないし微小突起を形成した表面を有する超音波溶着用受治具のいずれかを具備した超音波溶着装置でなされていることを特徴とするものである。
【００２０】
　また、請求項９記載の本発明は、請求項８記載のドリッパーにおいて、前記微小突起が千鳥状に形成されていることを特徴とするものである。
【００２１】
　上記請求項８、９のいずれかに記載の構成とすることにより、筒状紙体は後述するように一枚のブランク板を両側端に折曲部を有するように折畳んで重ね部で接着することにより筒状に構成されるものであるが、この筒状紙体の重ね部に対応する袋体の開口部を袋体の他の開口部と同様に確実に、かつ、美麗（筒状紙体の重ね部の外内面や筒状紙体の重ね部に対応する袋体に焦げ等が生じることなく）に閉じることができる。また、微小突起を千鳥状に形成することにより、外観上も美しいシール目を有するドリッパーとすることができる。
【００２２】
　また、請求項１０記載の本発明は、請求項１記載のドリッパーにおいて、前記筒状紙体の内面と前記袋体の外面とが剥離可能に接着されていることを特徴とするものである。このように構成することにより、袋体が筒状紙体に固定され、輸送時等に袋体が筒状紙体内を動くことがなく、袋体に設けた突出片の折返した頂部に破れが発生する虞をより一層小さくすることができると共に袋体の剥離可能な開口部を保護することができ、また、袋体の突出片と筒状紙体とを貼着した個所が外れることを防ぐことができる。
【発明の効果】
【００２３】
　本発明のドリッパーは、今まで縷々説明してきたように、レギュラーコーヒー粉、紅茶や緑茶の葉等の被抽出成分を有する内容物を収納した使い捨てタイプのドリッパーであって、従来のドリッパーにおいて筒状紙体の開口縁に袋体の折返した頂部のエッジが接触することにより輸送中等において発生する虞があった袋体の折返した頂部に発生する破れを防止することができるという優れた効果を奏するものである。また、本発明のドリッパーは内容物を確実に収納することができ、使用時には衛生的であってかつ指等を汚すことなく簡単な操作で開口することができると共に簡単に起立させてカップに安定した状態で載置して熱湯を注湯するだけでカップ内に所望の飲料を得ることができるという優れた効果を奏するものである。さらにまた、使用したドリッパーは使い捨てであり洗浄するなどの手間が要らないという優れた効果を奏するものである。
【発明を実施するための最良の形態】
【００２４】
　上記の本発明について、図面等を用いて以下に詳述する。
　図１は本発明にかかるドリッパーの一実施例を示す平面図、図２は図１の要部を図解的に示す図、図３は図２に対応する他の実施例を示す図、図４は図２に対応するさらに他の実施例を示す図、図５は図１に示すドリッパーに用いる筒状紙体の展開図、図６は本発明にかかるドリッパーに用いる袋体の一実施例を示す図、図７は超音波溶着受治具の表面形状の一実施例を示す斜視図、図８は図１に示すドリッパーの使用方法を説明する図であり、図中の１はドリッパー、２は筒状紙体、２’は筒状紙体のブランク板、３は袋体、２０，２０’は窓部、２１，２１’は折込部、２２は係合突片、２３，２４２，２５２，２４４，２５４は切欠部、２４，２５，２４３，２５３は折罫、２６，２６’，２６”は突出フラップ、３０は袋体の突出片、３１は剥離可能接着部、３２は強固な接着部、３３は折部、２１０は前面板、２２０は背面主板、２２０’は背面補助板、αは筒状紙体の重ね部、βは折曲部、Ａは超音波溶着用受治具の表面、Ｂは微小突起、Ｉは突出片の折返した頂部の端部、IIは突出フラップの両肩部をそれぞれ示す。
【００２５】
　図１は本発明にかかるドリッパーの一実施例を示す平面図であって、ドリッパー１は折曲部βを両側端に有し、重ね部α（図１上、網点で示した個所）で接着した略矩形状の筒状紙体２に、濾過機能を有する略台形状の袋体３を挿入し、前記袋体３の開口縁の略中央部に設けた一対の突出片３０を前記筒状紙体２の一方の対向する開口縁の略中央部に設けた一対の突出フラップ２６（図示せず）、２６’に当接させて外側に折り曲げて前記筒状紙体２の外面に貼着すると共に、前記袋体３の開口部から前記袋体３内にレギュラーコーヒー粉、紅茶や緑茶の葉等の被抽出成分を有する内容物（図示せず）を収納して後に前記筒状紙体２の外面から超音波溶着して形成した剥離可能接着部３１で閉じたものである。図２に示すように前記突出片３０の折返した頂部の両端Ｉは前記突出フラップ２６（図示せず）、２６’の両肩部IIより外方に位置すると共に前記突出フラップ２６（図示せず）、２６’の両肩部IIはアール状に形成され、前記突出片３０の折返した頂部の両端Ｉと前記筒状紙体２の一方の対向する開口縁側の端縁との間に隙間Ｓができる構成としている。このように構成することにより、前記筒状紙体２の前記突出フラップ２６（図示せず）、２６’の端縁で擦られることによる前記突出片３０の折返した頂部に破れが発生する虞の小さいドリッパーとすることができる。
【００２６】
　図３は図２に対応する他の実施例を示す図であって、図２に示した前記突出フラップ２６（図示せず）、２６’のアール状の両肩部IIが稜線を兼ねる曲線で形成された突出フラップ２６”からなる以外は図２に示した構成と同じであって、前記突出片３０の折返した頂部の両端Ｉと前記筒状紙体２の一方の対向する開口縁側の端縁との間に隙間Ｓができる構成としている（前記突出片３０の折返した頂部の両端Ｉと突出フラップ２６”との間に隙間Ｓができる構成としている）。このように構成することにより前記突出片３０の折返した頂部に破れが発生する虞のより小さいドリッパーとすることができる。
【００２７】
　図４は図２に対応するさらに他の実施例を示す図であって、図２に示した実施例においては前記突出片３０の折返した頂部の両端Ｉは前記突出フラップ２６（図示せず）、２６’の両肩部IIより外方に位置するのに対して、図４に示した実施例においては前記突出片３０の折返した頂部の両端Ｉより外側に両肩部IIが位置する突出フラップ２６’’’からなり、前記突出フラップ２６’’’の両肩部IIを繋ぐ前記筒状紙体の前記一方の対向する開口縁側の端縁と前記突出片の折返した頂部の両端Ｉとの間に隙間Ｓができる構成としている。このように構成することにより前記突出片３０の折返した頂部に破れが発生する虞のより小さいドリッパーとすることができる。
【００２８】
　また、図１に示すドリッパー１は、前記袋体３の両側端縁は容易に剥がれない強固な接着部３２からなると共に前記袋体３の前記開口部と反対側の下端部（図１上の下側部）は折部３３となっている。そして、前記筒状紙体２の略中央部の対向する位置に窓部２０（図示せず）、２０’が形成されると共に前記筒状紙体２の前記両折曲部βの略中央部に折込部２１、２１’が設けられ、さらに前記筒状紙体２の他方の開口縁（図１上の下縁）の前記両折曲部βと中央部とに係合突片２２が４箇所（図１上は３箇所）形成され、この係合突片２２により必然的に前記筒状紙体２の他方の開口縁に切欠部２３が４箇所（図１上は２箇所）形成されている。前記窓部２０（図示せず）、２０’はレギュラーコーヒー粉、紅茶や緑茶の葉等の被抽出成分を有する内容物（図示せず）を前記袋体３内にコンパクトに収納すると共にドリッパー１をカップ開口縁上に載置し、前記袋体３内に熱湯等を注ぐことによりカップ内部に流下する抽出液の液量を適宜確認するために設けられているものであり、前記折込部２１、２１’は前記筒状紙体２を起立して筒状に確実に保持するために設けられているものであり、前記係合突片２２と前記切欠部２３とはそれぞれが協働してドリッパー１をカップ開口縁上に安定的に載置することができるように設けられているものであるが、前記窓部２０（図示せず）、２０’は必要不可欠なものではないし、また、前記係合突片２２の数や形状は図１に示したものに限るものではなく、要するにカップ開口縁上に載置可能に構成されていればよいものである。
【００２９】
　次に、本発明のドリッパー１を構成する筒状紙体２と濾過機能を有する袋体３について説明する、まず、筒状紙体２について説明する。
図５は図１に示すドリッパーに用いる筒状紙体の展開図であって、筒状紙体２は背面補助板２２０’、前面板２１０、背面主板２２０が折罫２４、２５を介して順次連接すると共に前記折罫２４、２５と直交する上端縁の前記前面板２１０の中央部および前記背面主板２２０の略中央部に突出したアール状の両肩部を有する突出フラップ２６、２６’が形成され、前記折罫２４、２５と直交する下端縁の前記前面板２１０の中央部および前記背面主板２２０の略中央部に突出した係合突片２２、および、前記折罫２４、２５と直交する下端縁に前記折罫２４、２５の延長線に対してそれぞれ線対称に突出した係合突片２２が形成され（この係合突片２２により必然的に切欠部２３が形成され）、さらに前記折罫２４、２５のそれぞれの略中央部に前記折罫２４、２５に対して線対称となるように略コの字状切線２４１、２５１が形成され、前記切線２４１、２５１に連接して上端縁側に前記折罫２４、２５に対して線対称となるように略半円状の切欠部２４２、２５２が形成され、かつ、前記切線２４１、２５１のそれぞれの両端部から下端縁側に延びて前記折罫２４、２５にそれぞれ交わる前記折罫２４、２５に対して線対称な折罫２４３、２４３および２５３、２５３が形成されると共に前記折罫２４と前記折罫２４３、２４３の交点（図示せず）および前記折罫２５と前記折罫２５３、２５３の交点（図示せず）をそれぞれ中心とする円形状の切欠部２４４、２５４が形成され、さらに前記前面板２１０の中央部と前記背面主板２２０の略中央部に略逆台形状の窓部２０、２０’が形成されたブランク板２’から構成され、該ブランク板２’を最初に前記前面板２１０上に前記背面主板２２０を前記折罫２５で山折りして折り重ね、次に前記背面主板２２０上に前記背面補助板２２０’を前記折罫２４で山折りして折り重ねると共に前記背面主板２２０と前記背面補助板２２０’との重ね部α（図１参照）を接着剤等により接着することにより筒状紙体２を得ることができる。なお、前記ブランク板２’は周知の打抜機（型抜機）で容易に製造することができる。
【００３０】
　ところで、図１に示した前記折込部２１は前記切線２４１と前記略半円状の切欠部２４２と前記折罫２４３、２４３と前記円形状の切欠部２４４および前記切線２４１と前記円形状の切欠部２４４との間の前記折罫２４で形成されるように構成されると共に前記折込部２１’は前記切線２５１と前記略半円状の切欠部２５２と前記折罫２５３、２５３と前記円形状の切欠部２５４および前記切線２５１と前記円形状の切欠部２５４との間の前記折罫２５で形成されるように構成される。なお、前記筒状紙体２を形成する材料としては、たとえば、２００〜３４０ｇ／ｍ2の耐水カード紙、アイボリー紙などの厚紙が適当である。さらにまた、前記筒状紙体２を形成する材料としては、前記した厚紙の片面（前記袋体３と当接する面）ないし両面にポリエチレン等の樹脂を塗布したものを用いてもよいものであり、このように構成することにより熱湯や湯気がかかった際にも、前記筒状紙体２の剛性の低下を防止することができる。
【００３１】
　次に、袋体３について説明する。
　本発明に用いる袋体３としては、濾過機能を有する素材であれば特に限定するものではなく、袋体とする際の加工性を考慮すると素材そのもの自体が熱接着性を有するもの、あるいは、最内層が熱接着性を有するものが好ましい。たとえば、ポリエチレンやポリプロピレン等のオレフィン系ないしエステル系等の透水性を有する不織布、あるいは、最内層にポリエチレンやポリプロピレン等のオレフィン系ないしエステル系等の熱可塑性樹脂を含有している層を有する２ないし３層構成からなる濾紙等を例示することができる。
【００３２】
　前記袋体３は、熱接着性を有するロール状の長尺シート、たとえば、最内層に変性ポリプロピレンを含有している３層構成からなる濾紙を長手方向と平行に２つ折りして折部３３を形成するなり、あるいは、前記折部３３をＷ折り（ガセット折り）するなりして重ね合わせ、所定形状に熱接着（図１上、符号３２で示す接着部）し、その後に断裁、および／ないし、打抜きすることにより製造することができる。図６は本発明にかかるドリッパーに用いる袋体の一実施例を示す図であって、図６（ａ）は平面図、図６（ｂ）は図６（ａ）のＸ−Ｘ線断面図である。この袋体３は折部３３がＷ折り（ガセット折り）に形成されたものであって、折部３３が２つ折りに形成されたもの（図示せず）と比べて、レギュラーコーヒー粉、紅茶や緑茶の葉等の被抽出成分を有する内容物の収容量が同じであれば、袋体をよりコンパクトにすることができると共に袋体内に熱湯等を注ぐと袋体の底部が完全に開くために効率よく抽出液を得ることができる。
【００３３】
　前記筒状紙体２への前記袋体３の組付けは、前記筒状紙体２に前記袋体３を挿入して前記袋体３の開口縁の略中央部に設けた一対の突出片３０を前記筒状紙体２の一方の対向する開口縁の略中央部に設けた一対の突出フラップ２６（図示せず）、２６’に当接させて外側に折り曲げて前記筒状紙体２の外面に貼着することにより完了する。
【００３４】
　なお、前記袋体３の突出片３０を前記筒状紙体２に貼着する個所は、図１においての前記筒状紙体２の一方の開口縁側（図１上の上縁側）の略中央部とすることが望ましく、これは使用時に前記筒状紙体２を筒状に起立させた際に、前記筒状紙体２の上縁側で前記袋体３の前記突出片３０が貼着されていることで、前記袋体３の両側面が持ち上がり、前記袋体３の大きく確実な開口が保証され、注湯や抽出に適するためである。なお、前記筒状紙体２と前記袋体３の前記突出片３０との貼着は、ホットメルト型、溶剤型、水性型、反応型、感圧型等の接着剤から適宜選択して用いることができる。また、前記ブランク板２’の前記背面主板２２０と前記背面補助板２２０’との重ね部α（図１参照）を接着する接着剤についても同様に上記した接着剤から適宜選択して用いることができる。
【００３５】
　このようにして前記筒状紙体２に前記袋体３が組付けられた半完成品のドリッパー１は、その後に、前記袋体３の開口部から前記袋体３内にレギュラーコーヒー粉、紅茶や緑茶の葉等の被抽出成分を有する内容物（図示せず）を収納して後に前記筒状紙体２の外面から超音波溶着により剥離可能接着部３１となるように熱接着して前記袋体３の開口部を閉じることにより図１に示す本発明のドリッパー１となる。なお、前記筒状紙体２への前記袋体３の組付けは、前記袋体３の開口部から前記袋体３内にレギュラーコーヒー粉、紅茶や緑茶の葉等の被抽出成分を有する内容物（図示せず）を収納して後に前記袋体３の開口部を超音波溶着により剥離可能接着部３１となるように熱接着して閉じ、これを前記筒状紙体２に挿入し、前記袋体３の開口縁の略中央部に設けた一対の突出片３０を前記筒状紙体２の一方の対向する開口縁の略中央部に設けた一対の突出フラップ２６（図示せず）、２６’に当接させて外側に折り曲げて前記筒状紙体２の外面に貼着するようにしてもよいものである。
【００３６】
　次に、前記袋体３の開口部を閉じる剥離可能接着部３１の形成方法について説明する。前記剥離可能接着部３１は、たとえば、平坦な先端を有する超音波ホーン（図示せず）と、図７に示すようなローレット加工等により微小突起Ｂ（図７上、微小突起Ｂは四角錐状突起を例示している）を千鳥状に形成した表面Ａを有する超音波溶着用受治具を具備した超音波溶着装置（図示せず）を用いて超音波振動を与えることにより前記袋体３の少なくとも最内層を溶着して形成するものである。本実施例に示したドリッパー１は、上記したように前記筒状紙体２に前記袋体を組付け、その後に前記袋体３内にレギュラーコーヒー粉、紅茶や緑茶の葉等の被抽出成分を有する内容物（図示せず）を前記袋体３の開口部から充填し、その後に前記袋体３の開口部を剥離可能接着部３１となるように超音波溶着するものであり、前記剥離可能接着部３１は前記筒状紙体２外面から前記筒状紙体２を介して超音波溶着することにより形成されるものである。
【００３７】
　なお、通常の熱板シール方法やインパルスシール方法等では、前記筒状紙体２を形成している厚紙を通して前記袋体３の開口部の内面同士を剥離可能に接着することは非常に困難であり、接着しようとすると時間を要し、生産効率が落ちると共に前記筒状紙体２の内外面や前記袋体３の表面が焦げて褐変しやすく商品価値が落ちる。また、前記筒状紙体２の重ね部α（図１参照）における厚紙の３枚重なり部の両端（図１上、重ね部αの左右端）付近において押圧が不均一となるために前記袋体３の接着した開口部の前記重ね部α（図１参照）における厚紙の３枚重なり部の両端（図１上、重ね部αの左右端）にシール抜け等のシール不良が発生し、これらの方法を用いることは困難である。
【００３８】
　また、平坦な先端を有する超音波ホーン（図示せず）と、平坦な表面を有する超音波溶着用受治具（図示せず）を具備した通常の超音波溶着装置（図示せず）を用いる方法では、前記袋体３の開口部を剥離可能に接着することができると共に前記筒状紙体２の内外面や前記袋体３の表面に焦げも見られず良好な結果が得られるものの、前記筒状紙体２の重ね部α（図１参照）に超音波振動エネルギーが集中するために、良好な結果を得るための押圧調整や出力調整が結構煩雑であり、また、図示はしないが重ね部α（図１参照）における紙厚一枚分の逃げ加工を超音波ホーンあるいは超音波溶着用受治具に施した場合は、逃げ加工を施した部位と重ね部α（図１参照）との位置合わせが難しいという問題があり、鋭意研究した結果、平坦な先端を有する超音波ホーン（図示せず）と、図７に示すようなローレット加工等により微小突起Ｂ（図６上、微小突起Ｂは四角錐状突起を例示している）を千鳥状に形成した表面Ａを有する超音波溶着用受治具を具備した超音波溶着装置（図示せず）を用いて超音波振動を与えることにより、前記筒状紙体２の重ね部α（図１参照）に対応する部分に超音波振動エネルギーを集中することなく与えることができ、前記筒状紙体２の内外面や前記袋体３の表面に焦げを生じることなく、前記袋体３の開口部を剥離可能に超音波溶着できることを見出したものである。
【００３９】
　ところで、実施例においては、千鳥状に形成した微小突起Ｂを超音波溶着用受治具の表面に形成したが、この表面を平坦にして超音波ホーンの先端に千鳥状の微小突起Ｂを形成してもよいものである。また、前記微小突起Ｂは四角錐状突起とし、いわゆるアヤ目状に配置したが、前記微小突起Ｂはこれに限るものではなく、たとえば、三角錐状、五角錐状等の角錐状、あるいは、円錐状であってもよいし、また、前記微小突起Ｂの配列は千鳥状に限るものではなく、前記筒状紙体２の重ね部α（図１参照）に対応する部分に超音波振動エネルギーを集中することなく与えることができる配列であればよいものである。
【００４０】
　次に、今まで説明してきた本発明のドリッパー１の使用方法について説明する。まず、前記筒状紙体２に前記袋体３がセットされた状態でレギュラーコーヒー粉、紅茶や緑茶の葉等の被抽出成分を有する内容物（図示せず）が収納された図１に示すドリッパー１は、前記筒状紙体２の前記袋体３の突出片３０が貼着された前記突出フラップ２６、２６’を手指で摘んで互いに乖離する方向に引張って前記袋体３の剥離可能に閉じた剥離可能接着部３１を剥離して前記袋体３を開口して開口部を設け、前記筒状紙体２に設けられた折込部２１、２１’を手指等で折込んで前記筒状紙体２を筒状に開口した状態に保形し、その後に前記筒状紙体２の下端縁に設けた係合突片２２および切欠部２３でカップ開口縁上にドリッパー１を図８に示すように載置し、前記袋体３の開口部から適当量の熱湯等を注ぐことにより、カップ内に所望の抽出液を流下させ、この抽出液を喫飲するものである。
【００４１】
　また、今までの説明においては、前記筒状紙体を筒状に保持する手段として両折曲部に折込部を備えた例を挙げてきたが、前記筒状紙体を筒状に保持する手段としてはこれに限るものではなく、たとえば、図示はしないが前記折込部に代えて前記筒状紙体２の両側端に平行なミシン目ないし押罫を前記筒状紙体２の両側端間の略中央の対向する位置に設けて横断面四角形状の筒状となるように構成してもよいし、また、前記筒状紙体２の両側端に平行なミシン目ないし押罫を前記筒状紙体２の両側端間を略３等分する位置に設けて横断面六角形状の筒状となるように構成してもよいものである。
【図面の簡単な説明】
【００４２】
【図１】本発明にかかるドリッパーの一実施例を示す平面図である。
【図２】図１の要部を図解的に示す図である。
【図３】図２に対応する他の実施例を示す図である。
【図４】図２に対応するさらに他の実施例を示す図である。
【図５】図１に示すドリッパーに用いる筒状紙体の展開図である。
【図６】本発明にかかるドリッパーに用いる袋体の一実施例を示す図である。
【図７】超音波溶着受治具の表面形状の一実施例を示す斜視図である。
【図８】図１に示すドリッパーの使用方法を説明する図である。
【符号の説明】
【００４３】
　　　１　　　　　　　　　　　　　　　　　　ドリッパー
　　　２　　　　　　　　　　　　　　　　　　筒状紙体
　　　２’　　　　　　　　　　　　　　　　　筒状紙体のブランク板
　　　３　　　　　　　　　　　　　　　　　　袋体
　　　２０，２０’　　　　　　　　　　　　　窓部
　　　２１，２１’　　　　　　　　　　　　　折込部
　　　２２　　　　　　　　　　　　　　　　　係合突片
　　　２３，２４２，２５２，２４４，２５４　切欠部
　　　２４，２５，２４３，２５３　　　　　　折罫
　　　２６，２６’，２６’’，２６’’’　　　　　突出フラップ
　　　３０　　　　　　　　　　　　　　　　　袋体の突出片
　　　３１　　　　　　　　　　　　　　　　　剥離可能接着部
　　　３２　　　　　　　　　　　　　　　　　強固な接着部
　　　３３　　　　　　　　　　　　　　　　　折部
　　　２１０　　　　　　　　　　　　　　　　前面板
　　　２２０　　　　　　　　　　　　　　　　背面主板
　　　２２０’　　　　　　　　　　　　　　　背面補助板
　　　α　　　　　　　　　　　　　　　　　　筒状紙体の重ね部
　　　β　　　　　　　　　　　　　　　　　　折曲部
　　　Ａ　　　　　　　　　　　　　　　　　　超音波溶着用受治具の表面
　　　Ｂ　　　　　　　　　　　　　　　　　　微小突起
　　　Ｓ　　　　　　　　　　　　　　　　　　隙間
　　　Ｉ　　　　　　　　　　　　　　　　　　突出片の折返した頂部の端部
　　　II　　　　　　　　　　　　　　　　　　突出フラップの両肩部
【図１】
2004130104.tif 000003
【図２】
2004130104.tif 000004
【図３】
2004130104.tif 000005
【図４】
2004130104.tif 000006
【図５】
2004130104.tif 000007
【図６】
2004130104.tif 000008
【図７】
2004130104.tif 000009
【図８】
2004130104.tif 000010